(57)【要約】【課題】使用者の安全を保持するための多くの機能を備えた安全傘、これらの機能に加え傘をさしたままでも操作できる安全ブザーを備えた安全傘を提供すること。【解決手段】傘の一部箇所が発光する安全傘であって、石突き２０は透明性の素材で形成され、柄部１０内に収容された電池１１を電源として順次点滅する複数の発光ダイオード２２を備えた発光ダイオード点滅回路基板２１を内蔵し、柄部１０は足元照明３０が形成されてなる安全傘１００。該安全傘１００に安全ブザー４０と該安全ブザー４０のスイッチ４２を形成してもよい。該安全傘１００の安全ブザー４０のスイッチ４２を押しボタンスイッチ４２とし、該押しボタンスイッチ４２を柄部１０面より低い位置に形成してもよい。【選択図】図１
0003121349.tif 000002
【実用新案登録請求の範囲】
【請求項１】
傘の一部箇所が発光する安全傘であって、石突きは透明性の素材で形成され、柄部内に収容された電池を電源として順次点滅する複数の発光ダイオードを備えた発光ダイオード点滅回路基板を内蔵し、柄部は足元照明が形成されてなることを特徴とする安全傘。
【請求項２】
安全ブザーと該安全ブザーのスイッチが形成されてなることを特徴とする請求項１に記載の安全傘。
【請求項３】
安全ブザーのスイッチは、押しボタンスイッチであり、該押しボタンスイッチが柄部面より低い位置に形成されてなることを特徴とする請求項２に記載の安全傘。
【考案の詳細な説明】
【技術分野】
【０００１】
本考案は、傘に関し、詳細には、使用者の安全を保持するための多くの機能を備えた安全傘に関する。
【背景技術】
【０００２】
傘の使用は視界を悪くするため、傘の使用者が自動車やバイクなどの乗物が近づいてきても気付かないことや、夜間や暗い所で、乗物の運転者が傘の使用者に気付かないことがあり、傘の使用が交通事故を招くことがあった。特に、高齢者や児童は、十分な注意力に欠けることもあり、傘の使用による交通事故に遭う可能性が高くなる。
このような状況下、従来、一部箇所を発光させて運転者らに傘の使用者の存在を知らせることができる傘の提案があり、例えば、少なくとも傘の軸柄の先端部及び基端部に発光部を設けた照明装置付き傘（特許文献１参照）、傘頂部の石突き部の内部に、電池を電源として点滅する発光ダイオードを配置すると共に、該発光ダイオードから発する光の一部によって傘シートを照らす屈折部を設けたことを特徴とする警告灯付き傘（特許文献２参照）がある。
【０００３】
また、近年、安全のため、児童に安全ブザー（防犯ブザー）を携行させることが多い。
他方、高齢者は、突然体調を崩しやすいため、高齢者が安全ブザーを携行すれば緊急時の迅速の対応も可能となるので好ましいと言える。
【０００４】
【特許文献１】特開平０８−１９６３１８号公報
【特許文献２】特開２００１−１６１４１６号公報
【考案の開示】
【考案が解決しようとする課題】
【０００５】
しかし、傘の一部が発光するとともに、足元照明を備える傘、さらには、これらに加えて安全ブザーを備えた傘の提案はない。また、従来、安全ブザーを操作するには、安全ブザーに差し込まれたストラップなどを引き抜かなければならなかったが、傘をさしているときは片手がふさがっているので安全ブザーの迅速な操作が困難である。
【０００６】
本考案は、上記の事情に鑑みなされたものであって、使用者の安全を保持するための多くの機能を備えた安全傘を提供することを課題とする。また、これらの機能に加え傘をさしたままでも操作できる安全ブザーを備えた安全傘を提供することを課題とする。
【課題を解決するための手段】
【０００７】
上記の課題を解決するための考案は、傘の一部箇所が発光する安全傘であって、石突きは透明性の素材で形成され、柄部内に収容された電池を電源として順次点滅する複数の発光ダイオードを備えた発光ダイオード点滅回路基板を内蔵し、柄部は足元照明が形成されてなることを特徴とする安全傘を要旨とする。この構成により、複数の発光ダイオードが順次点滅し、乗物の運転者らに傘を使用者の存在を確実に知らせることができるとともに、足元も明るくなるので、傘の使用者の安全を保持できる。なお、発光ダイオード点滅回路基板とは、複数の発光ダイオードを順次点滅させる回路を有する基板をいう。
【０００８】
また、上記の考案において、安全ブザーと該安全ブザーのスイッチを形成してもよい。
この構成により、傘をさしていても安全ブザーの操作ができ、緊急時にも迅速な対応ができる。また、安全ブザーのスイッチを、押しボタンスイッチとし、該押しボタンスイッチを柄部面より低い位置に形成してもよい。この構成により、必要のない場合の安全ブザーの誤操作を防止できる。
【考案の効果】
【０００９】
本考案の安全傘は、使用者の安全を保持するための多くの機能を備えるので、傘の使用者が自動車などによる交通事故に逢うのを回避させることができる。また、本考案の安全傘は、安全ブザーを備え、しかも傘をさしたままでの操作ができるので、緊急時の迅速な対応ができる。本考案の安全傘は、かかる効果により、特に児童、増加が予想される高齢者に大きな福音となる。
【考案を実施するための最良の形態】
【００１０】
以下、本考案を図面を参照しながら実施の形態により詳細に説明する。図１は、本実施の形態の安全傘の概略説明図、図２は石突きの拡大正面図、図３は把手部の拡大断面図である。
本実施の形態の安全傘１００は、図１に示すように、把手部１０に収容された電池１１を電源として、石突き２０に内蔵された発光ダイオード点滅回路を有するプリント基板２１の複数の発光ダイオード２２を順次点滅させ、把手部１０に形成された足元照明３０を点灯させ、さらには把手部１０に形成された安全ブザー４０を作動させることができる。
【００１１】
安全傘１００の頂部の石突き２０は、アクリル樹脂などの透明性の素材により略円筒状に形成され、下端のみが開口する。石突き２０の上端は、肉厚に形成され、舗装道路などを突いても破損し難いようになっている。また、石突き２０は、図２に示すように、下端の開口からプリント基板２１が挿入され、挿入されたプリント基板２１の下方に金属パイプからなる軸部５０の上端が挿入され、さらにシート部７０に接着・固定されている。
【００１２】
プリント基板２１は、複数の発光ダイオード２２を順次点滅させる発光ダイオード点滅回路として既知のマルチバイブレータ回路を有する。発光ダイオード２２の数に限定はないが、３個以上を設けることが好ましい。発光ダイオード２２の発光色は、高輝度の赤、黄、緑、橙、青などを使用できる。発光ダイオード２２の点滅の周期は、マルチバイブレーター回路に含まれるダイオードを容量の小さいものとすれば早くでき、大きいものとすれば遅くできる。このように、安全傘１００は複数の発光ダイオード２２が順次点滅することにより、自動車の運転者などに安全傘１００の使用者の存在を確実に知らせることができる。
【００１３】
図３に示すように、把手部１０の上部に軸部５０の下端が挿入・固定されている。把手部１０は電池１１を収容し、また、豆電球３１が取り付けられ足元照明３０が構成されている。豆電球３１は、把手部１０の凹んだ位置に設けられているので、濡れ難く防水性を維持できる。また、豆電球３１は、斜め前方に向けて取り付けられているので、傘の使用者の前方を照らすことができるようになっている。
【００１４】
プリント基板２１の発光ダイオード２２、足元照明３０の豆電球３１はいずれも電池１１を電源として点滅あるいは点灯し、安全傘１００の使用者の安全を保持できる。把手部１０には、スライドスイッチ６０が形成され、発光ダイオード２２の点滅、足元照明３０の点灯のON、OFFの切替ができるようになっている。軸部５０内を挿通するプリント基板２１の配線の一方は、このスライドスイッチ６０に接続され、他方は電池１１のマイナス極に接続されている。また、豆電球３１の配線も同様に接続されている。電池１１のプラス極に接続された配線はスライドスイッチ６０に接続されている。スライドスイッチ６０は、多段階の切替ができ、発光ダイオード２２と足下照明３０のいずれもOFF、発光ダイオード２２のみON、足元照明３０のみON、発光ダイオード２２と足元照明３０のいずれもONの４段階の切り替えができるようになっている。
【００１５】
図３に示すように、把手部１０に形成された取付孔を有する取付片４１を介し鎖４７により安全ブザー４０が吊着されている。安全ブザー４０は、市販の構成のものであり、その内部に図示しない電池と該電池で作動するブザーが電気回路により接続されている。安全ブザー４０に接続されるコード４５の一端は、安全ブザー４０内の電気回路に接続され、他端はピン４６が取り付けられ、該ピン４６が把手部１０の差込口４８に差し込まれている。差込口４８は、把手部１０の押しボタンスイッチ４２に接続されているので、押しボタンスイッチ４２の操作でブザーを作動できる。また、押しボタンスイッチ４２は、図３に示すように、把手部１０面より低い位置に形成されているので、必要でない場合の安全ブザー４０の誤操作を防止できる。なお、安全ブザー４０のピン４６を差込口４８から取り外せば、汎用の安全ブザー４０と同様にストラップなどに取り付けられた切断ピンでブザーの操作をできるようにして用いることもできる。
【００１６】
また、図１に示すように、本実施の形態の安全傘１００のシート部７０は、通常の傘と同様に構成されている。すなわち、シート部７０は、軸部５０をスライド可能なバネで付勢されたスライド部材７１と、該スライド部材７１に形成された支持骨７２と親骨７３と、該親骨７３に貼り付けられた防水性のシート材７４とからなり、支持骨７２と親骨７３間はヒンジ構造により取り付けられている。そして、スライド部材７１を係止するストッパを解除することにより安全傘１００を開くことができる。
【００１７】
本考案は、その技術的範囲に属する限り、種々に形態を変更して具体化できるので、以下に例示する。
（１）本考案の安全傘は、その種類に限定がなく、日傘でも折りたたみ傘でもよい。折りたたみ傘の場合、把手部を略四角柱状や略円筒状にして電池を収容し、足元照明、スイッチ及び安全ブザーを設ける構成とできる。
（２）小型化した安全ブザーを把手部に内蔵する構成としてもよい。
（３）安全傘のシート部の構成は、上記の実施の形態に限定されず、種々の既知の構成としてもよい。
【図面の簡単な説明】
【００１８】
【図１】本実施の形態に係る安全傘の概略説明図である。
【図２】本実施の形態に係る安全傘の石突きの拡大正面図である。
【図３】本実施の形態に係る安全傘の把手部の拡大断面図であり、安全ブザーの差込口に接続されたコードのピンが外された状態も併せて示している。
【符号の説明】
【００１９】
１０        把手部
１１        電池
２０        石突き
２１        プリント基板
２２        発光ダイオード
３０        足元照明
３１        豆電球
４０        安全ブザー
４２        押しボタンスイッチ
４６        ピン
４８        差込口
５０        軸部
６０        スライドスイッチ
７０        シート部
１００      安全傘
【図１】
0003121349.tif 000003
【図２】
0003121349.tif 000004
【図３】
0003121349.tif 000005